(57)【特許請求の範囲】
【請求項１】
血液中のグルコース濃度を示す信号を生成する測定部と、
背面に照射される光の少なくとも一部を表示面に透過させることが可能なモノクロ液晶ディスプレイを有しており、グルコース濃度を表示する表示部と、
ＬＥＤを光源として複数色の光を照射可能であり、上記モノクロ液晶ディスプレイの背面側から上記モノクロ液晶ディスプレイに向けて、上記複数色の光のうちのいずれかを照射可能なバックライト部と、
少なくとも上記バックライト部に電力を供給する電源と、
上記表示部に表示されるグルコース濃度の値に基づいて、上記バックライト部が照射可能な光の色から１つを決定し、当該決定された色の光を上記バックライト部に照射させると共に、上記表示部にグルコース濃度を表示させる制御部と、を備えた携帯型の血中グルコース濃度測定装置。
【請求項２】
上記制御部は、グルコース濃度に対応する閾値と、上記バックライト部が照射可能な光の色とを対応付けるデータテーブルを記憶し、当該データテーブルに基づいて上記バックライト部に照射させる光の色を決定する請求項１に記載の携帯型の血中グルコース濃度測定装置。
【請求項３】
操作者による操作を受け付けて、当該操作に対応する操作信号を出力する操作部を更に備え、
上記制御部は、上記閾値の更新を指示する操作信号が上記操作部から出力されたことを条件として、上記データテーブルの閾値を当該操作信号が示す閾値に更新する請求項１または２に記載の携帯型の血中グルコース濃度測定装置。
【請求項４】
上記制御部には、上記表示部にグルコース濃度を表示する時間が予め設定されており、上記表示部にグルコース濃度を表示している間だけ、上記バックライト部に光の照射を行わせる請求項１から３のいずれかに記載の携帯型の血中グルコース濃度測定装置。
【請求項５】
上記バックライト部の光源は、フルカラーＬＥＤである請求項１から４の何れかに記載の携帯型の血中グルコース濃度測定装置。
【請求項６】
上記モノクロ液晶ディスプレイは、半透過型のモノクロ液晶ディスプレイである請求項１から５の何れかに記載の携帯型の血中グルコース濃度測定装置。
【請求項７】
上記電源は、乾電池又はリチウム電池である請求項１から６の何れかに記載の携帯型の血中グルコース濃度測定装置。
【発明の詳細な説明】
【技術分野】
【０００１】
本発明は、表示画面の背景色に基づいて、測定された血中グルコース濃度が正常値であるか否かが容易に判断される携帯型の血中グルコース濃度測定装置に関する。
【背景技術】
【０００２】
近年、糖尿病の患者が各国において増加している。糖尿病の治療の一例として、インスリン療法がある。インスリンは、血糖値をコントロールする薬物として知られており、糖尿病の治療薬として糖尿病患者に投与されている。インスリンを投与する必要性は、糖尿病患者の血糖値に基づいて判断される。このため、血糖値の把握が糖尿病患者にとって重要である。血糖値とは、血液中のグルコース濃度である。糖尿病患者自らが自分の血糖値を簡易に測定できることを目的として、携帯可能な小型の血糖測定装置が開発されている。
【０００３】
測定された血糖値は、本体に設けられた液晶ディスプレイ等に表示されうる。これにより、測定された血糖値を確認することができる。このような液晶ディスプレイには、低コスト及び省電力等の理由から、モノクロ液晶ディスプレイが使用されることが多い。
【０００４】
ところで、液晶ディスプレイの可読取性は、周囲光の照明強度に大きく左右されることが知られている。そのため、光の弱い環境では、表示される血糖値を認識することは困難になる。また、血糖測定装置の使用者には、一般に高齢者が多く、高齢者には、目の不自由な人が多い。さらに、血糖測定装置は小型に構成されているため、使用者が、表示される血糖値を認識することはさらに困難となる。また、仮に表示された血糖値を認識できても、専門的な知識のない患者は、それが正常値であるか否かを判断できないことが少なくない。
【０００５】
液晶ディスプレイの可読取性の向上のため、有機発光ダイオード表示装置を含む表示素子と、輝度、コントラスト、消費電力を最適化するための最適化装置とを備えた携帯用医療システムが知られている（特許文献１）。
【０００６】
また、血糖値が正常値であるか否かが容易に判断されるために、表示される血糖値の高さに応じて、画面に５色の色の何れかが表示される血糖測定装置が知られている。例えば、表示中の血糖値の高さに応じて、青・水色・緑・オレンジ・赤の何れかの色のバーが画面下部に表示される（非特許文献１）。
【先行技術文献】
【特許文献】
【０００７】
【特許文献１】特表２００９−５１７１５３号
【非特許文献】
【０００８】
【非特許文献１】「ワンタッチウルトラビューＴＭ  自己検査用グルコース測定器  取扱説明書」、ジョンソン・エンド・ジョンソン株式会社  メディカルカンパニー、ｐ２７
【発明の概要】
【発明が解決しようとする課題】
【０００９】
血糖値の自己測定は多くの糖尿病患者にとって重要であるため、機器はできるだけ低価格であることが望ましい。しかし、カラー液晶ディスプレイが使用されることで、機器の製造コストは高くなる。
【００１０】
携帯型の血糖測定装置は、患者が携帯するものであるから、長時間の間連続して動作することが求められる。ところで、携帯型の血糖測定装置は、製造コストの削減と小型化のため乾電池やボタン形のリチウム電池が動力源として採用され、充電機能を備えていないものが多い。そのような血糖測定装置に於いては、低消費電力が特に重要である。しかし、カラー液晶ディスプレイはモノクロ液晶ディスプレイよりも消費電力が高い。そのため、カラー液晶ディスプレイを利用した血糖測定装置は、モノクロの液晶ディスプレイを使用したものと比較し、動作時間は短くなる。
【００１１】
また、文字の表示に関しては、カラー液晶ディスプレイよりも、モノクロ液晶ディスプレイの方が可読取性が高いと言われている。
【００１２】
本発明は、前述された事情に鑑みてなされたものであり、その目的は、表示されるグルコース濃度に応じてモノクロ液晶ディスプレイの背景色が変更され、その背景色に基づいて、グルコース濃度が正常値であるか否かが容易に判断される携帯型の血中グルコース濃度測定装置を提供することにある。
【課題を解決するための手段】
【００１３】
(1)  本発明に係る携帯型の血中グルコース濃度測定装置は、血液中のグルコース濃度を示す信号を生成する測定部と、背面に照射される光の少なくとも一部を表示面に透過させることが可能なモノクロ液晶ディスプレイを有しており、グルコース濃度を表示する表示部と、ＬＥＤを光源として複数色の光を照射可能であり、上記モノクロ液晶ディスプレイの背面側から上記モノクロ液晶ディスプレイに向けて、上記複数色の光のうちのいずれかを照射可能なバックライト部と、少なくとも上記バックライト部に電力を供給する電源と、上記表示部に表示されるグルコース濃度の値に基づいて、上記バックライト部が照射可能な光の色から１つを決定し、当該決定された色の光を上記バックライト部に照射させると共に、上記表示部にグルコース濃度を表示させる制御部と、を備える。
【００１４】
ここで、本発明におけるモノクロ液晶ディスプレイとは、カラーフィルタを備えず、カラー表示に対応しない液晶ディスプレイである。モノクロ液晶ディスプレイは、あらゆる駆動方式、表示方式によって実現されるものを含む。
【００１５】
上記測定部は、操作者の操作を元に血液中のグルコース濃度を示す信号を生成して出力する。上記表示部は、出力された信号に基づき、上記グルコース濃度を数値として表示する。上記バックライト部は、上記グルコース濃度に対応した色の光を照射する。上記バックライト部が照射した光は上記表示部の表示面に透過する。その結果、上記表示部は、表示されている上記グルコース濃度に対応した色に発光する。操作者は、上記表示部の発光色に基づいて上記グルコース濃度がどのような状態にあるかを判断することができる。
【００１６】
(2)  本発明に係る携帯型の血中グルコース濃度測定装置に於いて、上記制御部は、グルコース濃度に対応する閾値と、上記バックライト部が照射可能な光の色とを対応付けるデータテーブルを記憶し、当該データテーブルに基づいて上記バックライト部に照射させる光の色を決定してもよい。
【００１７】
上記閾値により、上記グルコース濃度に対応した複数の数値範囲が規定される。そして、低い数値範囲には青系の色が対応付けられ、高い数値範囲には赤系の色が対応付けられうる。上記制御部は、表示される上記グルコース濃度が属する数値範囲に対応した色の光を上記バックライト部に照射させる。その結果、上記表示部は、上記グルコース濃度が高い場合には赤く発光し、上記血中グルコース濃度が低い場合には青く発光する。操作者は、上記表示部の発光色に基づいて上記グルコース濃度の高さを直感的に判断することができる。
【００１８】
(3)  本発明に係る携帯型の血中グルコース濃度測定装置は、操作者による操作を受け付けて、当該操作に対応する操作信号を出力する操作部を更に備えたものであっても良く、上記制御部は、上記閾値の更新を指示する操作信号が上記操作部から出力されたことを条件として、上記データテーブルの閾値を当該操作信号が示す閾値に更新してもよい。
【００１９】
上記閾値は、上記操作部から出力された操作信号により更新されうる。そのため、医師は患者の健康状態に応じて、最適な閾値を設定することができる。
【００２０】
(4)  本発明に係る携帯型の血中グルコース濃度測定装置に於いて、上記制御部には、上記表示部にグルコース濃度を表示する時間が予め設定されており、上記表示部にグルコース濃度を表示している間だけ、上記バックライト部に光の照射を行わせてもよい。
【００２１】
上記グルコース濃度は、一定の時間だけ表示されるため、バッテリーの消費量は低減される。
【００２２】
(5)  本発明に係る携帯型の血中グルコース濃度測定装置に於いて、上記バックライト部の光源は、フルカラーＬＥＤであってもよい。
【００２３】
ここで、本発明におけるフルカラーＬＥＤとは、赤、青、緑の光を同時に照射可能であり、３色の光の強さが個別に調整されうるＬＥＤ素子を指す。
【００２４】
フルカラーＬＥＤは１つのＬＥＤ素子により任意の色の光を照射できるため、上記血中グルコース濃度測定装置は容易に小型化される。
【００２５】
(6)  本発明に係る携帯型の血中グルコース濃度測定装置に於いて、上記モノクロ液晶ディスプレイは、半透過型のモノクロ液晶ディスプレイであってもよい。
【００２６】
ここで、本発明における半透過型のモノクロ液晶ディスプレイとは、入射する光の一部を反射し一部を透過させる半透過反射膜が、表示面に対して反対側の面に積層されたモノクロ液晶ディスプレイを指す。
【００２７】
(7)  本発明に係る携帯型の血中グルコース濃度測定装置に於いて、上記電源は、乾電池又はリチウム電池であってもよい。
【００２８】
これにより、充電可能なバッテリーが内蔵されたものと比較し、上記血中グルコース濃度測定装置の製造コストは低減される。
【発明の効果】
【００２９】
以上のような構成の血中グルコース濃度測定装置によると、目の不自由な患者や専門的な知識の無い患者が、血中グルコース濃度が正常値であるか否かを容易に判断することができる。また、モノクロ液晶ディスプレイが採用されているため、バッテリーの消費量が少なく、文字の可読取性が高い。このような血中グルコース濃度測定装置は低コストで製造される。
【図面の簡単な説明】
【００３０】
【図１】図１は、本発明の実施形態に係る血中グルコース濃度測定装置１０の外観を示した斜視図である。
【図２】図２は、本発明の実施形態に係る血中グルコース濃度測定装置１０の機能ブロック図である。
【図３】図３は、発光装置３０の外観を示した斜視図である。
【図４】図４は、液晶ディスプレイ４０と発光装置３０の積層構造を示した概略図である。
【図５】図５は、データテーブルを構成するデータを示した概念図である。
【図６】図６は、グルコース濃度が表示される際に、制御部２７が行う処理を示したフローチャートである。
【図７】図７は、グルコース濃度が表示される画面の一例を示した図である。
【図８】図８は、設定画面７０の一例を示した図である。
【発明を実施するための形態】
【００３１】
以下に、適宜図面が参照されて、本発明の好ましい実施形態が説明される。なお、以下に説明される各実施形態は本発明の一例にすぎず、本発明の要旨を変更しない範囲で、本発明の実施形態が適宜変更できることは言うまでもない。
【００３２】
［血中グルコース濃度測定装置１０の概略構成］
【００３３】
図１は、本発明の実施形態に係る血中グルコース濃度測定装置１０の外観を示した斜視図である。同図に示されるように、血中グルコース濃度測定装置１０は、本体１１に対してセンサー１５が着脱自在に構成されたものである。本体１１は、薄平な箱形状である。本体１１の表側には、表示画面１２及び３つの操作ボタン１３Ａ，１３Ｂ，１３Ｃが設けられている。表示画面１２は、半透過型のモノクロ液晶ディスプレイであり、後述される表示部２３の一部をなすものである。表示画面１２には、血糖値や、機器の操作に必要な情報が表示され得る。操作ボタン１３Ａ，１３Ｂ，１３Ｃは、後述される操作部２５の一部をなすものであり、ユーザに押下されることによって、所定の操作信号を発生させる。なお、操作ボタン１３Ａ，１３Ｂ，１３Ｃの数などは適宜設計されるものである。また、血中グルコース濃度測定装置１０は、その動力源として、乾電池又はリチウム電池が使用可能であるように構成されている。
【００３４】
本体１１の側面にはセンサー挿入口１４が設けられている。センサー挿入口１４は、センサー１５が挿入されて保持されるためのものである。同図には現れていないが、センサー挿入口１４の奥には電極が設けられており、その電極を通じて本体１１の制御部２７とセンサー１５とが電気信号を伝達可能に連結される。センサー１５は、測定試料である血液が導入され、その血液中のグルコースと電気化学的な反応を生じさせるものである。このようなセンサー１５は、いわゆるバイオセンサーとして公知である。センサー１５において、血中のグルコースと電気化学的な反応が生じ、その反応において生じた電流を制御部２７が受信する。このセンサー１５やセンサー挿入口１４の電極などが測定部２１を構成する。
【００３５】
［本体１１の内部構成］
【００３６】
図２は、本発明の実施形態に係る血中グルコース濃度測定装置１０の機能ブロック図である。同図に示されるように、本体１１には、制御部２７が設けられている。制御部２７は、各種演算を行うためのＣＰＵ、各種プログラムが格納されるＲＯＭ、各種演算のためのデータを一時保存するＲＡＭ、データを電送するバスなどによって構成される演算装置である。この制御部２７に対して、測定部２１、記憶部２２、表示部２３、バックライト部２４、操作部２５及び時計部２６が、電気信号を送受信可能に接続されている。
【００３７】
制御部２７には、機器の動作に必要な様々なプログラムが格納されている。代表的なものを列挙すると、格納されているプログラムとは、センサー１５に流れる電流に基づいてグルコース濃度を演算するプログラム、グルコース濃度を記憶部２２に記憶させるプログラム、グルコース濃度を表示部２３に表示させるプログラム、表示部２３の表示に応じて、バックライト部２４が光を照射するタイミングや光の色を制御するプログラムなどである。
【００３８】
測定部２１は、試料としてセンサー１５に導入された血中のグルコースと電気化学反応を発生させて、グルコース濃度に応じた電気信号を発生させるものである。センサー１５には、作用極と対極とが設けられており、作用極には、グルコースデヒドロゲナーゼ又はグルコースオキシダーゼとメディエータが固定されている。例えば、作用極に固定されたグルコースオキシダーゼによって、血中のグルコースがグルコン酸及び過酸化水素に分解され、その過酸化水素が水及び電子に分解される。このようにして発生した電子が作用極に伝達される。一方、対極からは血液中に電子が供給される。このようにして、グルコースオキシダーゼとグルコースとの反応によって、作用極と対極との間に電流が流れる。そして、流れた電流値に基づいて、血液中のグルコース濃度、つまり血糖値が算出される。このような反応が本明細書において電気化学的反応と称される。なお、測定部２１には、センサー１５からの電気信号を数値表現されたデジタル信号に変換するための専用回路が備えてられていてもよい。
【００３９】
記憶部２２は、不揮発性の半導体メモリと制御部２７に繋がる周辺回路とを有するものである。また、規格化されたフラッシュメモリの専用スロットが本体１１に設けられて、記憶部２２が着脱可能な外部メディアとして構成されていてもよい。記憶部２２は、制御部２７の制御に基づいて内部にグルコース濃度を記憶するものである。従って、記憶されたグルコース濃度を事後的に確認する必要がない場合には、記憶部２２は必須の構成要素ではない。血中グルコース濃度測定装置１０がグルコース濃度を記憶する機能を備えるか否かは、当業者が適宜判断することができる。また、記憶部２２は、制御部２７の一部として構成されていてもよい。
【００４０】
表示部２３は、後述される液晶ディスプレイ４０と制御部２７に繋がる周辺回路とを有するものである。液晶ディスプレイ４０は、半透過型のモノクロ液晶ディスプレイである。液晶ディスプレイ４０には、制御部２７の制御に基づいて文字や画像が表示され得る。液晶ディスプレイ４０の背面には、バックライト部２４を構成する発光装置３０が設けられている。液晶ディスプレイ４０の表示面が、本体１１の外部から確認されたものが前述の表示画面１２である。
【００４１】
バックライト部２４は、後述される発光装置３０と制御部２７に繋がる周辺回路とを有するものである。発光装置３０は、ＬＥＤを光源とし、複数色の光のうちの何れかを選択的に照射することが可能である。表示画面１２の背面に設けられた発光装置３０は、制御部の制御により、何れかの色の光を照射する。それにより、バックライト部２４は、表示部２３のバックライトとして機能する。
【００４２】
操作部２５は、本体１１に設けられた操作ボタン１３Ａ，１３Ｂ，１３Ｃと、各操作ボタン１３Ａ，１３Ｂ，１３Ｃの押下に対応した所定の操作信号を発生させる周辺回路とを含むものである。例えば、操作ボタン１３Ａがモード選択や決定のための入力を受け付け、操作ボタン１３Ｂ，１３Ｃが数値を上下させたりメニューを変更するための入力を受け付ける。操作部２５が生成する操作信号を受けて、制御部２７が各種動作を実行する。なお、操作部２６は、必ずしも独立して設けられている必要はなく、例えば、感圧式や静電式のタッチパネルセンサーが表示画面１２に重ねて設けられており、そのタッチパネルセンサーが操作部２６として機能してもよい。操作部２６が、操作者の操作を受け、各種操作信号を出力する。制御部２７は、出力された操作信号に応じて、各部の動作を制御する。
【００４３】
時計部２６は、血糖値測定の際に、制御部２７が時刻信号を取得するための本体内蔵の時計である。時計部２６は、時刻信号を制御するための水晶振動子を有する。また、時計部２６は、地上波時刻情報とリンクし、時刻を自動で調整するための受信器及び専用回路を備えていてもよい。例えば、制御部２７は、血中グルコース濃度が測定されるタイミングで時刻信号を取得する。そして、そこから得た測定日時を測定値と共に表示部２３に表示させることができる。従って、測定日時がグルコース濃度と共に表示される必要がない場合は、時計部２６は必須の構成要素ではない。血中グルコース測定装置１０が測定日時を測定値と共に表示する機能を備えるか否かは、当業者が適宜判断することができる。
【００４４】
［発光装置３０］
【００４５】
続けて、上述の発光装置３０の詳細な構成が解説される。図３は、発光装置３０の外観を示した斜視図である。同図に示されるように、発光装置３０は、ＬＥＤ光源３１と、導光板３２により構成される。ＬＥＤ光源３１の内部には、ＬＥＤ素子３６が設けられている。ＬＥＤ素子３６は、バルブ内部にＲＧＢ３色のＬＥＤが封入されている。各色の光の強さは、制御部２７によりそれぞれ調整されうる。それにより、ＬＥＤ素子３６は、３原色のバランスで表現できる任意の色の光を照射することが可能である。このようなＬＥＤ素子３６は、一般にフルカラーＬＥＤとして知られている。
【００４６】
導光板３２は、ガラス板やアクリル板で構成される。ＬＥＤ素子３６が照射した光は、接合面３５から導光板３２に入射する。導光板３２に入射した光は、拡散面３３、反射面３４の間を反射しながら図中の右側に伝搬される。反射面３４には光を反射する反射シートが貼布されている。拡散面３３には、拡散シートが貼布されている。拡散シートは、光を散乱、拡散させる半透明のシートである。伝搬される光は拡散面３３で屈折するたびにその一部が、散乱、拡散されながら外部に透過する。その結果、拡散面３３は、全体がほぼ均一な光量で発光する。
【００４７】
続けて、表示部の構成及び動作が解説される。図４は、液晶ディスプレイ４０と発光装置３０の積層構造を示した概略図である。上述された通り、液晶ディスプレイ４０は表示部２３を構成するものであり、発光装置３０はバックライト部２４を構成するものである。液晶ディスプレイ４０の背面に、発光装置３０が配置されている。同図における液晶ディスプレイ４０の上面が表示面となっている。
【００４８】
［液晶ディスプレイ４０］
【００４９】
液晶４５は、配光膜４４，４６により液晶分子が一定方向に配列された状態で配置されている。図には示されないが、配光膜４４，４６には液晶４５に電圧を印加可能な透明電極が接続され、透明電極は、その電圧を各セルごとに制御可能であるように制御部２７と接続されている。配光膜４４，４６の外側に配置された偏光フィルム（縦）４７及び偏光フィルム（横）４３は、それぞれ偏光子と呼ばれ、透過する光の一方向の偏光を吸収し、一方向にそろった直線偏光を透過させるものである。偏光フィルム（縦）４７と偏光フィルム（横）４３とは、その偏光方向が垂直に交わるように配置されている。さらにその外側にはこれらの層を保護し、光を透過可能なガラス層４２，４８が設けられ、ガラス層４２の外側には、半透過反射膜４１が設けられている。半透過反射膜４１は、表示面側から入射した光のうち、一部を反射させ、残りを透過させる。
【００５０】
表示面側から入射した光は、偏光フィルム（縦）４７により、直線偏光となる。液晶４５に電圧が印加されていない場合、光はそのまま直進する。偏光フィルム（縦）４７と偏光フィルム（横）４３とは、その偏光方向が垂直に交わるように配置されているため、光は偏光フィルム（横）４３を透過することができず、光はそこで遮断される。一方、液晶４５に電圧が印加されると、液晶分子の配列が変化する。そのとき、液晶分子の軸の方向に入った偏光は液晶分子の軸の方向に沿って変化し、その偏光方向は９０度変化する。従って、偏光フィルム（縦）４７により直線偏光となった光は、その偏光方向が変化されることで、偏光フィルム（横）４３を透過することができる。このように、光を透過しないセルが黒いドットとして認識され、光を透過するセルが白いドットとして認識されることで、液晶ディスプレイ４０は表示面に様々な文字や図形を表示することができる。
【００５１】
液晶ディスプレイ４０を透過した光が操作者の視覚により認識されることで、操作者は表示された文字や図形を確認することができる。本実施形態に於いて、通常時はその光は外部から取得される。入射光５１は、部屋の照明や太陽光等の自然光である。電圧が印可されたセルに於いて、入射光５１は、ガラス層４２までを透過し、半透過反射膜４１に到る。半透過反射膜４１は、入射光５１の一部を透過させ、一部を反射させる。半透過反射膜４１を反射した光は表示面から放射される。半透過反射膜４１を反射した光の一部が操作者の視覚により認識され、操作者は、表示された文字や図形を確認することができる。
【００５２】
また、上述の光を得るために、発光装置３０が使用されることもできる。入射光５２は
発光装置３０から照射される。上記と同様に、半透過反射膜４１は、入射光５２の一部を透過させ、一部を反射させる。半透過反射膜４１を透過した光は表示面から放射される。半透過反射膜４１を透過した光の一部が操作者の視覚により認識され、操作者は、表示された文字や図形を確認することができる。
【００５３】
このように、本実施形態で使用される液晶ディスプレイ４０は、その光源として、外部の光と発光装置３０が照射する光との双方を利用可能である。このような液晶ディスプレイは、一般に半透過型液晶ディスプレイとして知られている。
【００５４】
続けて、血中グルコース濃度測定装置１０の使用方法、及びその際に制御部２７が行う制御の流れが解説される。血中グルコース濃度測定装置１０が備える機能は、血中グルコース濃度を測定するための機能と、測定されたグルコース濃度を表示するための機能とに大別される。また、血中グルコース濃度測定装置１０は、記憶部２２内の不要なデータを削除する機能、時計部２６の日時を合わせる機能等も持つが、それらは当業者が最適な形で適宜設計することができる。
【００５５】
［血中グルコース濃度を測定するための機能］
【００５６】
まずは、血中グルコース濃度を測定するための機能が解説される。被測定者は、本体１１の操作ボタン１３Ａを押下、または、本体１１にセンサー１５をセットすることにより、血中グルコース濃度測定装置１０を血中グルコース濃度を測定するモードにする。血中グルコース濃度の測定に際して、被測定者の血液が採取される。この血液の採取は、例えばランセットを用いて、被測定者自らが行うことができる。採取された血液は試料としてセンサー１５に導入される。各図には詳細に示されていないが、センサー１５には血液を導入するための開口が形成されており、その開口に血液を付着させると、毛管作用によってセンサー１５内に血液が導入される。導入された血液は、作用極と対極との間に保持されて、前述されたような電気化学的反応を起こす。この電気化学的反応によりセンサー１５の作用極と対極との間に血中グルコース濃度に対応する電気量の電流が発生する。この電流が、本発明における、血液中のグルコース濃度を示す信号に相当する。
【００５７】
電流は、制御部２７がセンサー１５において流れた電流を増幅や、ＡＤ変換等を行うことによって、血中グルコース濃度を示す数値データに変換される。その数値データは、記憶部２２に記憶される。ＡＤ変換処理は、制御部２７の回路や制御部２７がＲＯＭ内にもつプログラムを用いて行われる。あるいは、ＡＤ変換処理は、信号が制御部１１に渡されるよりも前に、測定部２１が持つ専用回路により行われていてもよい。なお、このような血中グルコース濃度の測定は、センサー１５に血液が導入されることによって自動的に行われるようにプログラムされていてもよい。
【００５８】
測定の際、制御部２７は時計部２６から日時信号を取得し、その日時信号を、測定されたグルコース濃度と対応付けた状態で記憶部２２に記憶させる。この対応付けのためにどのようなデータ構造が採用されるかは、当業者が適宜判断することができる。
【００５９】
［グルコース濃度を表示するための機能］
【００６０】
続けて、記憶されたグルコース濃度を表示するための機能が解説される。医師又は被測定者（以下、操作者とする。）は、本体１１の操作ボタン１３Ａを押下して、血中グルコース濃度測定装置１０をグルコース濃度を表示するモードにする。そうすると、表示画面１２には直近に測定されたグルコース濃度とその測定日時が表示される。表示されるグルコース濃度と測定日時とは、操作ボタン１３Ｂが押下されることにより過去のものへと切り換えられる。また、操作ボタン１３Ｃが押下されることにより未来のものへと切り換えられる。
【００６１】
上述された機能が実現されるために、制御部２７は以下の制御を行う。操作ボタン１３Ａが押下されることで出力された操作信号をトリガーとして、制御部２７は、記憶部２２に記憶された測定日時を順に読み込む。そして、制御部２７は、適切なソートアルゴリズムにより、記憶部２２に記憶された測定日時を降順に並べた線形リストを生成する。制御部２７は、線形リストの最後尾の測定日時及び、それと対応するグルコース濃度を表示部２３に表示させる。操作ボタン１３Ｂの押下により操作信号が出力されると、制御部２７は、線形リストの１つ上流の測定日時を参照し、その測定日時及びそれと対応したグルコース濃度を表示部２３に表示させる。また、操作ボタン１３Ｃの押下により操作信号が出力されると、制御部２７は、線形リストの１つ下流の測定日時を参照し、その測定日時及びそれと対応したグルコース濃度を表示部２３に表示させる。以上の流れにより、表示画面１２に表示される測定日時とグルコース濃度とは、時系列に沿って変更される。
【００６２】
あるいは、測定されたグルコース濃度は、測定後に自動的に表示される事もできる。測定の際、制御部２７は測定部２１と時計部２６から電気信号を受信し、そこから得られたグルコース濃度と時刻とを表示部２３に表示させる。どちらの表示方法が採用されるかは当業者が適宜判断することができる。例えば、血中グルコース濃度測定装置が記憶部２２を備えない場合は、後者の表示方法のみが採用されてもよい。
【００６３】
制御部２７は、表示部２３に各測定日時及びグルコース濃度を表示させる際、バックライト部２４に光を照射させる。制御部２７はデータテーブルを記憶している。データテーブルは、グルコース濃度に対応する閾値とバックライト部２４が照射する光の色とを対応付けるデータにより構成される。図５は、データテーブルを構成するデータを示した概念図である。同図が示す通り、データテーブルを構成するデータは、第１閾値，第２閾値，第３閾値及び第１発光色，第２発光色，第３発光色，第４発光色である。第１閾値，第２閾値，第３閾値は、それぞれ「ｍｇ／ｄｌ」の単位で表現される血中グルコース濃度を示す。第１発光色，第２発光色，第３発光色，第４発光色は、それぞれバックライト部２４が照射する光の色を示す。同図に於いて、第１閾値，第２閾値，第３閾値として、それぞれ８０，１２０，１６０という数値が記憶されている。また、第１発光色，第２発光色，第３発光色，第４発光色として、それぞれ「blue」「green」「yellow」「red」という文字列が記憶されている。
【００６４】
図６は、グルコース濃度が表示される際に、制御部２７が行う処理を示したフローチャートである。まず、ステップ１（Ｓ１）に於いて、制御部２７は、表示されるべきグルコース濃度と測定日時とを示すデータを記憶部２２から取得する。あるいは、測定直後に表示が行われる場合は、それらのデータは測定部２１及び時計部２６から直接取得されてもよい。ステップ２（Ｓ２）に於いて、制御部２７は、データテーブルに記憶されたデータ（第１閾値，第２閾値，第３閾値及び第１発光色，第２発光色，第３発光色，第４発光色）を、制御部２７自身が備えるフラッシュメモリより取得する。
【００６５】
ステップ３（Ｓ３）に於いて、制御部２７は、グルコース濃度と第１閾値とを比較する。グルコース濃度が第１閾値未満で処理がステップ４（Ｓ４）に分岐された場合、制御部２７は、バックライト部２４に第１発光色に対応する色の光を照射させる。ステップ５（Ｓ５）では、ステップ３（Ｓ３）同様の比較と分岐が行われる。グルコース濃度が第２閾値未満で処理がステップ６（Ｓ６）に分岐された場合、制御部２７は、バックライト部２４に第２発光色に対応する色の光を照射させる。ステップ７（Ｓ７）に於いても同様である。グルコース濃度が第３閾値以上で処理がステップ８（Ｓ８）に分岐された場合、制御部２７は、バックライト部２４に第３発光色に対応する色の光を照射させる。一方、ステップ９（Ｓ９）に分岐された場合、制御部は、バックライト部２４に第４発光色に対応する色の光を照射させる。
【００６６】
処理の結果、グルコース濃度が、（１）第１閾値未満、（２）第１閾値以上かつ第２閾値未満、（３）第２閾値以上かつ第３閾値未満、（４）第４閾値以上、の各状況に応じて、それぞれ１発光色，第２発光色，第３発光色，第４発光色に対応する色の光がバックライト部２４より照射される。
【００６７】
ステップ４（Ｓ４），ステップ６（Ｓ６），ステップ８（Ｓ８），ステップ９（Ｓ９）のうちのいずれのルートを通っても、処理は最終的にステップ１０（Ｓ１０）に到達する。制御部２７は、測定日時とグルコース濃度を表示部２３に表示させる。操作者がグルコース濃度を表示する操作を行うのとほぼ同時に、表示部２３が発光し、グルコース濃度及び測定日時が表示部２３に表示される。
【００６８】
図７は、グルコース濃度が表示される画面の一例を示した図である。測定日表示エリア６１及び測定時刻表示エリア６２には、ステップ１（Ｓ１）にて取得された測定日時が表示されている。同様にグルコース濃度表示エリア６３には、ステップ１（Ｓ１）にて取得されたグルコース濃度が表示されている。高齢者や目の不自由でも確認できるように、グルコース濃度は画面中央に大きく表示される。単位表示エリア６４には、グルコース濃度の単位を示す、「ｍｇ／ｄｌ」が表示されている。表示部２３を構成する液晶ディスプレイ４０はモノクロ液晶ディスプレイであるため、表示される文字または数値は、全て黒い文字として表示されている。
【００６９】
グルコース濃度表示エリア６３に表示されている数値に応じて、背景６５は赤，黄色，緑，青の何れかの色に発光する。例えば、図中のグルコース濃度表示エリア６３に表示されている数値は１０４である。図５に示されたデータテーブルに於いて、１０４は、第１閾値以上、かつ第２閾値未満である。従って、バックライト部２４は、第２発光色である「green」に対応する緑色の光を照射する。結果、背景６５は、照射された光により緑色に発光する。
【００７０】
本実施形態に於いて、１発光色，第２発光色，第３発光色，第４発光色は、それぞれ、グルコース濃度が「低め」，「正常」，「やや高め」，「高め」であることを示している。即ち、背景６５が緑色に発光していることは、表示中のグルコース濃度が正常であることを意味する。利用者は、背景６５の色を確認することで、グルコース濃度が正常値にあるか否かを直観的に判断することができる。第１閾値，値第２閾値，第３閾値として、どのような値が採用されるか、また１発光色，第２発光色，第３発光色，第４発光色として、どのような色が採用されるかは、当業者が適宜判断することができる。
【００７１】
制御部２７は、表示部２３にグルコース濃度を表示させている間、バックライト部２４が照射を続けるように制御する。操作者は、操作ボタン１３Ａを押下することでグルコース濃度の表示を終了させることができる。制御部２７は操作ボタン１３Ａが押下されることで出力された操作信号をトリガーとして、表示部２３にグルコース濃度の表示を終了させる。それと同時に、制御部２７は、バックライト部２４に光の照射を停止させる。即ち、表示画面１２はグルコース濃度を表示している間だけ発光することになる。それにより、本体１１のバッテリーの消費量は低減される。
【００７２】
また、制御部２７は、一定時間のみバックライト部２４が照射を続けるように制御することもできる。制御部２７は、表示部２３にグルコース濃度の表示を開始させると同時に、タイマーを用いて、時刻のカウントを開始する。このタイマーとして、時計部２６の機能が使用されてもよい。制御部２７がグルコース濃度の表示を開始させてから５秒が経過すると、制御部２７はバックライト部２４に光の照射を停止させる。従って、表示画面１２は、グルコース濃度の表示を開始してから一定時間だけ発光することになる。それにより、本体１１のバッテリーの消費量はさらに低減される。このとき、バックライト部２４が光の照射を停止するのと同時にグルコース濃度の表示が終了されてもよい。表示画面１２が発光を継続する時間は、当業者が適宜決定することができる。また、血中グルコース濃度測定装置１０は、表示画面１２が発光を継続する時間を操作者が変更できるように設計されていてもよい。
【００７３】
また、制御部２７は、操作ボタン１３Ｃの押下により出力された操作信号をトリガーとして、バックライト部２４に光の照射を開始させることができる。このときに照射される光は白色光である。制御部２７は、バックライト部２４に光の照射を開始させると同時に、タイマーを用いて時刻のカウントを開始する。カウントの開始から２０秒の間、操作部２５から何の操作信号も出力されていない場合、制御部２７はバックライト部２４の光の照射を停止させる。つまり、操作者は操作ボタン１３Ｃを押下することで、表示画面１２を任意で発光させることができる。それにより、操作者は、夜間や暗い室内といった外部の光が得にくい環境であっても、血中グルコース濃度測定装置１０の操作を行うことができる。また、操作者が２０秒間操作を行わなかった場合は自動的に消灯されるため、バッテリーの消費量は低減される。表示画面１２が発光を継続する時間は、当業者が適宜決定することができる。また、血中グルコース濃度測定装置１０は、表示画面１２が発光を継続する時間を操作者が変更できるように設計されていてもよい。
【００７４】
本実施形態に於いて、データテーブルを構成する第１閾値，第２閾値，第３閾値は、操作者が事後的に変更することが可能である。操作者は、本体１１の操作ボタン１３Ａを押下して、血中グルコース濃度測定装置１０を設定モードにする。図８は、その時表示される設定画面７０の一例を示した図である。同図に於いて、数値フィールド７１，７２，７３はそれぞれ第１閾値，第２閾値，第３閾値が設定されるために使用されるものである。ここでは、第１閾値，第２閾値，第３閾値としてそれぞれ８０，１２０，１６０が設定されている。設定画面が表示されたとき、数値フィールド７１の外枠は点滅している。これは、第１閾値が変更可能な状態であることを示す。操作者は、操作ボタン１３Ｂ，１３Ｃを押下することで、数値フィールド７１の数値を１ずつ上下させる。その際、第１閾値表示エリア７４の数値も数値フィールド７１の数値に連動して変化する。目標の値を設定した後、操作者は、操作ボタン１３Ａを押下することで、第１閾値の設定を終了し、第２閾値を変更可能な状態とすることができる。第２閾値も同様の方法で設定可能であり、数値フィールド７２に連動し、第２閾値表示エリア７５の数値が変化する。目標の値を設定した後、操作者は、操作ボタン１３Ａを押下することで、第２閾値の設定を終了し、第３閾値を変更可能な状態とすることができる。第３閾値も同様の方法で設定可能であり、数値フィールド７３に連動し、第３閾値表示エリア７６の数値が変化する。目標の値を設定した後、操作者は、操作ボタン１３Ａを押下することで、全ての設定を完了し設定モードを終了することができる。設定モードが終了されたとき、制御部２７は、数値フィールド７１，７２，７３にされている値に基づき、第１閾値，第２閾値，第３閾値を更新する
【００７５】
。
操作者は、各閾値を事後的に変更することができるため、医師は、患者の健康状態に応じて、正常なグルコース濃度の範囲を設定することができる。なお、上述の方法により設定可能な閾値の範囲は、当業者が適宜決定することができる。操作を誤った患者が閾値を変更することを防止するため、設定モードへの移行にはパスワードが求められてもよい。
【００７６】
［本実施形態の作用効果］
【００７７】
表示画面１２は、グルコース濃度の高さに応じて、青、緑、黄色、赤のうちの何れかの色に発光する。操作者は、表示画面１２の発光色に基づいてグルコース濃度の高さを直感的に判断することができる。
【００７８】
閾値は設定画面による操作が行われることで容易に更新されうる。そのため、医師は患者の健康状態に応じて、最適な閾値を設定することができる。また、閾値の変更のためにパスワードが求められることで、操作を誤った患者により閾値が変更されることは回避される。
【００７９】
バックライト部２４は、表示部２３が上記血中グルコース濃度を表示している間だけ照射を行う。これにより、バッテリーの消費量は低減される。また、表示部２３による血中グルコース濃度の表示や、バックライト部２４による光の照射は一定時間だけ行われることで、バッテリーの消費量はさらに低減される。
【００８０】
バックライト部２４は、操作ボタン１３Ｃの押下によっても照射を行うことができる。そのため、操作者は、夜間や暗い室内でも、表示画面１２を発光させて血中グルコース濃度測定装置１０の操作を行うことができる。
【００８１】
ＬＥＤ素子３６は、フルカラーＬＥＤであるため、血中グルコース濃度測定装置１０は容易に小型化される。
【００８２】
血中グルコース濃度測定装置１０の動力源として乾電池又はリチウム電池が使用されるので、血中グルコース濃度測定装置１０の製造コストは低減される。
【００８３】
液晶ディスプレイ４０は、モノクロ液晶ディスプレイであるため、文字の可読み取り性が高い。
【符号の説明】
【００８４】
１０・・・血中グルコース濃度測定装置
１１・・・本体
１２・・・表示画面
１３Ａ・・・操作ボタン
１３Ｂ・・・操作ボタン
１３Ｃ・・・操作ボタン
１４・・・センサー挿入口
１５・・・センサー
２１・・・測定部
２２・・・記憶部
２３・・・表示部
２４・・・バックライト部
２５・・・操作部
２６・・・時計部
２７・・・制御部
３０・・・発光装置
３１・・・ＬＥＤ光源
３２・・・導光板
３３・・・拡散面
３４・・・反射面
３５・・・接合面
３６・・・ＬＥＤ素子
４０・・・液晶ディスプレイ
４１・・・半透過反射膜
４２・・・ガラス層
４３・・・偏光フィルム（横）
４４・・・配光膜
４５・・・液晶
４６・・・配光膜
４７・・・偏光フィルム（縦）
４８・・・ガラス層
５１・・・入射光
５２・・・入射光
６１・・・測定日表示エリア
６２・・・測定時刻表示エリア
６３・・・グルコース濃度表示エリア
６４・・・単位表示エリア
６５・・・背景
７０・・・設定画面
７１・・・数値フィールド
７２・・・数値フィールド
７３・・・数値フィールド
７４・・・第１閾値表示エリア
７５・・・第２閾値表示エリア
７６・・・第３閾値表示エリア
【図１】
0005625555.tif 000002
【図２】
0005625555.tif 000003
【図３】
0005625555.tif 000004
【図４】
0005625555.tif 000005
【図５】
0005625555.tif 000006
【図６】
0005625555.tif 000007
【図７】
0005625555.tif 000008
【図８】
0005625555.tif 000009